(57)【要約】【課題】低圧な蒸気の流動で吹鳴する湯沸かし器の吹鳴方法と吹鳴装置を得る。【解決手段】湯沸かし器（やかん）の蓋で吹鳴するものであって、吹鳴孔と蒸気抜き孔とを有する上方に緩やかに膨らんだドーム屋根状の蓋と、該蓋の裏側に気密に取り付けられた逆ドーム屋根状の裏蓋とから構成され、前記湯沸かし器で発生させた蒸気を、前記裏蓋に設けた蒸気流入用孔から前記蓋と裏蓋との間に形成される空洞に配した噴出蒸気導入路を介して前記吹鳴孔に対しその隣接位置から薄い板状に噴出させ、それによって前記吹鳴孔のエッジにぶつかった噴出蒸気が内外に分流されることにより互いに蒸気の渦を作って内外の蒸気に気圧差を生じ、それにより蒸気の振動を作り出して吹鳴音が発生し、そこで発生した吹鳴音は前記空洞の共鳴現象により強められ、前記吹鳴孔で分流されて前記空洞内部に流れた蒸気は迂回して前記蒸気抜き孔から外部に排気される。【選択図】図１
2005211261.tif 000002
【特許請求の範囲】
【請求項１】
湯沸かし器の蓋で吹鳴する方法であって、
吹鳴孔と蒸気抜き孔とを有する上方に緩やかに膨らんだドーム屋根状の蓋と、該蓋の裏側に気密に取り付けられた逆ドーム屋根状の裏蓋とから構成され、
前記湯沸かし器で発生させた蒸気を、前記裏蓋に設けた蒸気流入用孔から前記蓋と裏蓋との間に形成される空洞に配した噴出蒸気導入路を介して前記吹鳴孔に対しその隣接位置から薄い板状に噴出させ、
それによって前記吹鳴孔のエッジにぶつかって噴出蒸気が内外に分流されることにより互いに蒸気の渦を作って内外の蒸気に気圧差を生じ、それにより蒸気の振動を作り出して吹鳴音を発生し、そこで発生した吹鳴音は前記空洞の共鳴現象により強められ、
前記吹鳴孔で分流されて前記空洞内部に流れた蒸気は迂回して前記蒸気抜き孔から外部に排気される
ことを特徴とする湯沸かし器の吹鳴方法。
【請求項２】
前記湯沸かし器は、やかんである請求項１記載の湯沸かし器の吹鳴方法。
【請求項３】
湯沸かし器の、上方に緩やかに膨らんだドーム屋根状の蓋１において、
前記蓋１の斜面２の所要位置に開穿した円状その他の適当な大きさの吹鳴孔３及び該吹鳴孔３から離れた位置に開けられた蒸気抜き孔１４と、
前記蓋１の裏側に取り付けられた逆ドーム屋根状の裏蓋４と、
前記裏蓋４において前記蓋１の吹鳴孔３に対応する位置よりやや中央寄りに穿設された蒸気流入用孔５と、
前記裏蓋４の蒸気流入用孔５から前記蓋１の吹鳴孔３の隣接位置まで蒸気を案内する噴出蒸気導入路１２と、
前記蒸気導入路１２の上端部において、前記吹鳴孔３の方向に開口した薄い板状の蒸気噴出口１１と
を含むことを特徴とする湯沸かし器の吹鳴装置。
【請求項４】
前記湯沸かし器は、やかんである請求項３記載の湯沸かし器の吹鳴装置。
【発明の詳細な説明】
【技術分野】
【０００１】
本発明は湯沸かし器において沸騰した蒸気の噴出作用により吹鳴させるものであって、特に、噴出の弱い低圧な水蒸気圧でも確実に吹鳴させることができるようにした湯沸かし器の吹鳴方法と吹鳴装置に関するものである。
【背景技術】
【０００２】
従来、この種の吹鳴装置としては、本願出願人の出願に係る実公昭４８−３７１４７号（実用新案登録第１０４３７４４号）公報に掲載された構造が知られているが、この例は構造の簡易性、製作並びに組立の容易性、商品の信頼性、高い耐久性などを目的として提案されたものであり、現在でも引き続き生産販売されて好評を博している寿命の長い優秀な製品である。
【０００３】
しかしながら、その吹鳴装置（笛）はその構造が小型で単純な構造であるために製作に要するコストが低く経済性に優れている反面、大きな音を発生させるためには大きな蒸気圧が必要である。
【０００４】
因みに、実用的な音量を得るためには、吹鳴発生には少なくとも２０mmAq 以上の蒸気圧が必要であり、そのためには、湯沸かし器内部の気密性を高めなければならないので、湯沸かし器の注ぎ口に対して吹鳴装置（口蓋）を重い自重又はバネにより密接させると共に、それ以外の開口部分も可及的に気密性を高めるべく、湯沸かし器の開口部のプレス加工や蓋の嵌め合いの精度を高める必要があるなどの欠点があった。
【特許文献１】実公昭４８−３７１４７号公報
【発明の開示】
【発明が解決しようとする課題】
【０００５】
本発明は、上記の如き湯沸かし器の開口部の嵌め合い、その他の製作精度を高度化することなく、若干の蒸気漏れが開口部に生じても、例えば１０mmAq 程度の低圧な蒸気の流動で吹鳴することができる湯沸かし器の吹鳴方法と吹鳴装置を得ようとするものである。
【課題を解決するための手段】
【０００６】
本発明は、以上の如き観点に鑑みてなされたものであって、その主たる構成の第１は、湯沸かし器（やかん）の蓋で吹鳴する方法であって、吹鳴孔と蒸気抜き孔とを有する上方に緩やかに膨らんだドーム屋根状の蓋と、該蓋の裏側に気密に取り付けられた逆ドーム屋根状の裏蓋とから構成され、前記湯沸かし器で発生させた蒸気を、前記裏蓋に設けた蒸気流入用孔から前記蓋と裏蓋との間に形成される空洞に配した噴出蒸気導入路を介して前記吹鳴孔に対しその隣接位置から薄い板状に噴出させ、それによって前記吹鳴孔のエッジにぶつかった噴出蒸気が内外に分流されることにより互いに蒸気の渦を作って内外の蒸気に気圧差を生じ、それにより蒸気の振動を作り出して吹鳴音が発生し、そこで発生した吹鳴音は前記空洞の共鳴現象により強められ、前記吹鳴孔で分流されて前記空洞内部に流れた蒸気は迂回して前記蒸気抜き孔から外部に排気される湯沸かし器の吹鳴方法を提供しようとするものである。
【０００７】
本発明の主たる構成の第２は、湯沸かし器（やかん）の、上方に緩やかに膨らんだドーム屋根状の蓋において、前記蓋の斜面の所要位置に開穿した円状その他の適当な大きさの吹鳴孔及び該吹鳴孔から離れた位置に開けられた蒸気抜き孔と、前記蓋の裏側に取り付けられた逆ドーム屋根状の裏蓋と、前記裏蓋において前記蓋の吹鳴孔に対応する位置よりやや中央寄りに穿設された蒸気流入用孔と、前記裏蓋の蒸気流入用孔から前記蓋の吹鳴孔の隣接位置まで蒸気を案内する噴出蒸気導入路と、前記蒸気導入路の上端部において、前記吹鳴孔の方向に開口した薄い板状の蒸気噴出口とからなる湯沸かし器の吹鳴装置を提供しようとするものである。
【発明の効果】
【０００８】
本発明に係る湯沸かし器の吹鳴装置は、前記のように、湯沸かし器（やかん）の、上方に緩やかに膨らんだドーム屋根状の蓋において、前記蓋の斜面の所要位置に開穿した円状その他の適当な大きさの吹鳴孔及び該吹鳴孔から離れた位置に開けられた蒸気抜き孔と、前記蓋の裏側に取り付けられた逆ドーム屋根状の裏蓋と、前記裏蓋において前記蓋の吹鳴孔に対応する位置よりやや中央寄りに穿設された蒸気流入用孔と、前記裏蓋の蒸気流入用孔から前記蓋の吹鳴孔の隣接位置まで蒸気を案内する噴出蒸気導入路と、前記蒸気導入路の上端部において、前記吹鳴孔の方向に開口した蒸気噴出口とからなるものであるから、前記湯沸かし器で発生した蒸気は、前記裏蓋に設けた蒸気流入用孔から前記蓋と裏蓋との間に形成される空洞に配した噴出蒸気導入路を介して前記吹鳴孔に対しその隣接位置から薄い板状に噴出し、それによって前記吹鳴孔のエッジにぶつかって噴出蒸気が内外に分流して互いに蒸気の渦を作って内外の蒸気に気圧差が生じ、それにより蒸気の振動を作り出して吹鳴音を発生し、そこで発生した吹鳴音は前記空洞の共鳴現象により強められ、前記吹鳴孔で分流されて前記空洞内部に流れた蒸気は迂回して前記蒸気抜き孔から外部に排気される。
【０００９】
前記吹鳴孔のエッジで発生した吹鳴音は、前記の如く、蓋と裏蓋との間に形成される大容積の空洞の共鳴現象により強められるので、噴出の弱い低圧、例えば、１０mmAq 程度の水蒸気圧でも確実に吹鳴する。
【００１０】
前記吹鳴孔において発する音は、従来の共鳴室を殆ど有しない笛が発する高くて耳障りな音に比較して、耳に非常に心地よい低音となる。
【００１１】
そして、上記のように、噴出の弱い低圧でも確実な作動（吹鳴）が得られるから、湯沸かし器内部の気密性を保持するための厳格な構造は必ずしも必要がなく、湯沸かし器の製造歩留まりが向上する。
【発明を実施するための最良の形態】
【００１２】
以下、図１乃至図４を参照しながら具体的に説明する。
図１は本発明の一実施例の構成を示す縦断面図、図２は同平面図、図３は同底面図であり、図４は分解して下方から見た同斜視図である。
湯沸かし器（やかん）の、上方に緩やかに膨らんだドーム屋根状の蓋１において、蓋１の斜面２の所要位置に円状その他の適当な大きさの吹鳴孔３を開穿する。
【００１３】
前記蓋１の裏側の中央には、該蓋１より小径の下方に緩やかに膨らんだ逆ドーム屋根状の裏蓋４が気密に取り付けられている。該裏蓋４には前記蓋１の吹鳴孔３に対応する位置よりやや中央寄りに所定の蒸気流入用孔５が穿設され、該蒸気流入用孔５の内周縁には上方に起立する取付片６が一体に形成されている。
【００１４】
前記取付片６には前記蓋１と裏蓋４との間の空洞７の幅に略対応する高さを有するスリーブ８の下端部が外嵌されている。該スリーブ８は好ましくはシリコン、ラバー、その他合成樹脂等の可撓性材料で成形されている。該スリーブ８の上部には前記吹鳴孔３の方向に向いた側に切欠段部９を設けた管子１０が嵌合され、該管子１０の上部開口は前記蓋１の裏面で塞がれ、それにより該切欠段部９は薄い板状の蒸気噴出口１１となり、以って、蒸気を前記蒸気流入用孔５から前記蓋１の吹鳴孔３の隣接位置から該吹鳴孔３に向けて蒸気を案内する噴出蒸気導入路１２としてある。
【００１５】
前記蓋１には前記吹鳴孔３の位置とは中心孔１３を挟んだほぼ対称の位置に蒸気抜き孔１４が開けられている。
【００１６】
前記裏蓋４は、該裏蓋４の中心に開口されたネジ差込孔１５から差し込まれて前記蓋１の中心孔１３を貫通するネジ棒１６のネジ部が、つまみ１７の中心下側に螺設された螺孔１８に螺合する引張応力により該蓋１の裏側に気密に固定され、それと共に前記管子１０の上端は蓋１の裏面に密接する。
【図面の簡単な説明】
【００１７】
【図１】本発明の一実施例の構成を示す縦断面図である。
【図２】本発明の一実施例の構成を示す平面図である。
【図３】本発明の一実施例の構成を示す底面図である。
【図４】本発明の一実施例の構成を分解して下方から見た斜視図である。
【符号の説明】
【００１８】
１  蓋
２  蓋の斜面
３  吹鳴孔
４  裏蓋
５  蒸気流入用孔
６  取付片
７  空洞
８  スリーブ
９  切欠段部
１０  管子
１１  蒸気噴出口
１２  噴出蒸気導入路
１３  中心孔
１４  蒸気抜き孔
１５  ネジ差込孔
１６  ネジ棒
１７  つまみ
１８  螺孔
【図１】
2005211261.tif 000003
【図２】
2005211261.tif 000004
【図３】
2005211261.tif 000005
【図４】
2005211261.tif 000006